(57)【要約】【課題】誘電率及び誘電正接が低く、耐屈曲性が良好な接着剤組成物を提供する。【解決手段】接着剤組成物は、当該接着剤組成物の合計１００質量部に対して、スチレン系エラストマーを７５〜９０質量部と、末端に重合性基を有する変性ポリフェニレンエーテル樹脂を３〜２５質量部と、エポキシ樹脂及びエポキシ樹脂硬化剤を合計で１０質量部以下とを含有する。【選択図】図１
2019135280.tif 000002
【特許請求の範囲】
【請求項１】
当該接着剤組成物の合計１００質量部に対して、
スチレン系エラストマーを７５〜９０質量部と、
末端に重合性基を有する変性ポリフェニレンエーテル樹脂を３〜２５質量部と、
エポキシ樹脂及びエポキシ樹脂硬化剤を合計で１０質量部以下とを含有する、接着剤組成物。
【請求項２】
上記スチレン系エラストマーの質量平均分子量が１０００００以上である、請求項１記載の接着剤組成物。
【請求項３】
上記スチレン系エラストマーのスチレン比率が３０％未満である、請求項１又は２記載の接着剤組成物。
【請求項４】
上記変性ポリフェニレンエーテル樹脂を５〜２０質量部含有する、請求項１〜３のいずれか１項に記載の接着剤組成物。
【請求項５】
上記変性ポリフェニレンエーテル樹脂が、末端に、エポキシ基及びエチレン性不飽和結合の少なくとも１種を有する、請求項１〜４のいずれか１項に記載の接着剤組成物。
【請求項６】
上記エポキシ樹脂硬化剤が、潜在性のあるエポキシ樹脂硬化剤である、請求項１〜５のいずれか１項に記載の接着剤組成物。
【請求項７】
基材上に、請求項１〜６のいずれか１項に記載の接着剤組成物からなる熱硬化性接着層が形成されている熱硬化性接着シート。
【請求項８】
請求項１〜６のいずれか１項に記載の接着剤組成物の硬化物を介して、基材と配線パターンとを備える配線付樹脂基板の上記配線パターン側と、カバーレイとが積層されているプリント配線板。
【請求項９】
上記基材が、液晶ポリマーフィルムである、請求項８記載のプリント配線板。
【発明の詳細な説明】
【技術分野】
【０００１】
本技術は、接着剤組成物、熱硬化性接着シート及びプリント配線板に関する。
【背景技術】
【０００２】
情報通信の高速、大容量化により、プリント配線板に流れる信号の高周波化の傾向が加速している。それに対応するため、リジット基板やフレキシブルプリント配線板（ＦＰＣ）の構成材料（例えば接着剤組成物）に、低誘電率、低誘電正接という低誘電特性が求められている（例えば、特許文献１、２参照）。
【０００３】
ところで、ポリフェニレンエーテルは、低誘電特性を持つ基板用材料として優れた点も多いが、融点（軟化点）が非常に高く、常温では硬い性質を持つため、耐屈曲性に劣るという難点がある。例えば特許文献２に記載の樹脂組成物のように、樹脂全体に対して３〜５割程度をポリフェニレンエーテルで構成すると、耐屈曲性に劣る傾向にある。
【先行技術文献】
【特許文献】
【０００４】
【特許文献１】特開２０１７−５７３４６号公報
【特許文献２】特開２０１６−７９３５４号公報
【発明の概要】
【発明が解決しようとする課題】
【０００５】
本技術は、このような従来の実情に鑑みて提案されたものであり、誘電率及び誘電正接が低く、耐屈曲性が良好な接着剤組成物、熱硬化性接着シート及びプリント配線板を提供する。
【課題を解決するための手段】
【０００６】
本技術に係る接着剤組成物は、当該接着剤組成物の合計１００質量部に対して、スチレン系エラストマーを７５〜９０質量部と、末端に重合性基を有する変性ポリフェニレンエーテル樹脂を３〜２５質量部と、エポキシ樹脂及びエポキシ樹脂硬化剤を合計で１０質量部以下とを含有する。
【０００７】
本技術に係る熱硬化性接着シートは、基材上に、上述した接着剤組成物からなる熱硬化性接着層が形成されている。
【０００８】
本技術に係るプリント配線板は、上述した接着剤組成物の硬化物を介して、基材と配線パターンとを備える配線付樹脂基板の上記配線パターン側と、カバーレイとが積層されている。
【発明の効果】
【０００９】
本技術によれば、誘電率及び誘電正接が低く、耐屈曲性が良好な接着剤組成物を提供することができる。
【図面の簡単な説明】
【００１０】
【図１】図１は、プリント配線板の構成例を示す断面図である。
【図２】図２は、多層プリント配線板の構成例を示す断面図である。
【図３】図３は、耐屈曲性試験に用いたＴＥＧの構成例を示す平面図である。
【図４】図４は、耐屈曲性試験に用いた測定装置を示す斜視図である。
【発明を実施するための形態】
【００１１】
以下、本技術の実施の形態について説明する。以下で説明する成分の重量平均分子量及び数平均分子量の値は、ゲルパーミエーションクロマトグラフィー（ＧＰＣ）法により測定される標準ポリスチレン換算の分子量から算出した値をいう。
【００１２】
＜接着剤組成物＞
本技術に係る接着剤組成物は、熱硬化性の接着剤組成物であり、当該接着剤組成物の合計１００質量部に対して、スチレン系エラストマー（成分Ａ）を７５〜９０質量部と、末端に重合性基を有する変性ポリフェニレンエーテル樹脂（成分Ｂ；以下、単に変性ポリフェニレンエーテル樹脂ともいう）を３〜２５質量部と、エポキシ樹脂（成分Ｃ）及びエポキシ樹脂硬化剤（成分Ｄ）を合計で１０質量部以下とを含有する。このような構成とすることにより、熱硬化後も誘電率及び誘電正接が低く、熱硬化後も耐屈曲性が良好な接着剤組成物とすることができる。このような接着剤組成物は、例えば、フレキシブルプリント配線板用の接着剤（層間接着剤）として好適に用いることができる。
【００１３】
［スチレン系エラストマー］
スチレン系エラストマーは、スチレン系エラストマーは、スチレンとオレフィン（例えば、ブタジエン、イソプレン等の共役ジエン）との共重合体、及び／又は、その水素添加物である。スチレン系エラストマーは、スチレンをハードセグメント、共役ジエンをソフトセグメントとしたブロック共重合体である。スチレン系エラストマーの例としては、スチレン／ブタジエン／スチレンブロック共重合体、スチレン／イソプレン／スチレンブロック共重合体、スチレン／エチレン／ブチレン／スチレンブロック共重合体、スチレン／エチレン／プロピレン／スチレンブロック共重合体、スチレン／ブタジエンブロック共重合体などが挙げられる。また、水素添加により共役ジエン成分の二重結合をなくした、スチレン／エチレン／ブチレン／スチレンブロック共重合体、スチレン／エチレン／プロピレン／スチレンブロック共重合体、スチレン／ブタジエンブロック共重合体（水素添加されたスチレン系エラストマーともいう。）などを用いてもよい。
【００１４】
スチレン系エラストマーの重量平均分子量は、１０００００以上が好ましく、１０００００〜１５００００がより好ましく、１１００００〜１５００００がさらに好ましい。このような構成とすることにより、剥離強度（接続信頼性）、耐熱性をより良好にすることができる。
【００１５】
スチレン系エラストマー中のスチレン比率は、３０％未満が好ましく、５〜３０％がより好ましく、５〜２５％がさらに好ましく、１０〜２０％が特に好ましい。このような構成とすることにより、耐屈曲性をより良好にすることができ、剥離強度（接続信頼性）、耐熱性をより良好にすることができる。
【００１６】
スチレン系エラストマーの具体例としては、タフテックＨ１２２１（Ｍｗ１２００００、スチレン比率１０％）、タフテックＨ１０４１（Ｍｗ９００００、スチレン比率３０％）、タフテックＨ１０４３（Ｍｗ１１００００、スチレン比率６７％、以上旭化成社製）、ハイブラー７１２５（Ｍｗ１１００００、スチレン比率２０％、クラレ社製）が挙げられる。これらの中でも、分子量やスチレン比率の観点から、タフテックＨ１２２１、ハイブラー７１２５が好ましい。
【００１７】
接着剤組成物中のスチレン系エラストマーの含有量は、成分Ａと成分Ｂと成分Ｃと成分Ｄの合計１００質量部に対して、７５〜９０質量部であり、８０〜９０質量部であってもよい。スチレン系エラストマーの含有量が７５質量部未満であると、耐屈曲性が劣る傾向にある。また、スチレン系エラストマーの含有量が９０質量部を超えると、相対的に他の成分（例えば成分Ｂ）の含有量が少なくなってしまうため、耐熱性が劣る傾向にある。スチレン系エラストマーは、１種単独で用いてもよいし、２種以上を併用してもよい。
【００１８】
［変性ポリフェニレンエーテル樹脂］
変性ポリフェニレンエーテル樹脂は、ポリフェニレンエーテル鎖を分子中に有し、末端に重合性基を有する。変性ポリフェニレンエーテル樹脂は、１分子中に、重合性基として、エポキシ基及びエチレン性不飽和結合の少なくとも１種を２つ以上有していることが好ましい。特に、上述したスチレン系エラストマーとの相溶性や、接着剤組成物の誘電特性の観点から、変性ポリフェニレンエーテル樹脂は、両末端に、エポキシ基及びエチレン性不飽和結合（例えば、（メタ）アクリロイル基、ビニルベンジル基）の少なくとも１種を有することが好ましい。
【００１９】
なお、重合性基を有する化合物により変性されていないポリフェニレンエーテル樹脂、すなわち、末端に水酸基を有するポリフェニレンエーテル樹脂は、極性が強すぎるため、上述したスチレン系エラストマーとの相溶性が悪く、接着剤組成物をフィルム化できないおそれがあり、好ましくない。
【００２０】
変性ポリフェニレンエーテル樹脂の一例である、両末端に、ビニルベンジル基を有する変性ポリフェニレンエーテル樹脂は、例えば、２官能フェノール化合物と１官能フェノール化合物を酸化カップリングさせて得られる２官能フェニレンエーテルオリゴマーの末端フェノール性水酸基をビニルベンジルエーテル化することで得られる。
【００２１】
変性ポリフェニレンエーテル樹脂の重量平均分子量（又は数平均分子量）は、上述したスチレン系エラストマーとの相溶性や、接着剤組成物の硬化物を介して、基材と配線パターンとを備える配線付樹脂基板の配線パターン側とカバーレイとを熱硬化（プレス）する際の段差追従性等の観点から、１０００〜３０００であることが好ましい。
【００２２】
変性ポリフェニレンエーテル樹脂の具体例としては、ＯＰＥ−２Ｓｔ（両末端にビニルベンジル基を有する変性ポリフェニレンエーテル樹脂）、ＯＰＥ−２Ｇｌｙ（両末端にエポキシ基を有する変性ポリフェニレンエーテル樹脂）、ＯＰＥ−２ＥＡ（両末端にアクリロイル基を有する変性ポリフェニレンエーテル樹脂、以上、三菱ガス化学社製）、Ｎｏｒｙｌ ＳＡ９０００（両末端にメタクリロイル基を有する変性ポリフェニレンエーテル樹脂、ＳＡＢＩＣ社製）などを用いることができる。
【００２３】
接着剤組成物中の変性ポリフェニレンエーテル樹脂の含有量は、成分Ａと成分Ｂと成分Ｃと成分Ｄの合計１００質量部に対して、３〜２５質量部であり、５〜２０質量部であることが好ましい。変性ポリフェニレンエーテル樹脂の含有量が２５質量部を超えると、耐屈曲性が劣る傾向にある。また、変性ポリフェニレンエーテル樹脂の含有量を５質量部以上とすることにより、耐熱性をより良好にすることができる。ポリフェニレンエーテル樹脂は、１種単独で用いてもよいし、２種以上を併用してもよい。
【００２４】
［エポキシ樹脂］
エポキシ樹脂は、例えば、ナフタレン骨格を有するエポキシ樹脂、ビスフェノールＡ型エポキシ樹脂、ビスフェノールＦ型エポキシ樹脂、フェノールノボラック型エポキシ樹脂、脂環式エポキシ樹脂、シロキサン型エポキシ樹脂、ビフェニル型エポキシ樹脂、グリシジルエステル型エポキシ樹脂、グリシジルアミン型エポキシ樹脂、ヒダントイン型エポキシ樹脂等が挙げられる。特に、エポキシ樹脂は、フィルムの成形性の観点から、ナフタレン骨格を有するエポキシ樹脂、ビスフェノールＡ型エポキシ樹脂又はビスフェノールＦ型エポキシ樹脂であって、常温で液状であるものが好ましい。エポキシ樹脂は、１種単独で用いてもよいし、２種以上を併用してもよい。
【００２５】
［エポキシ樹脂硬化剤］
エポキシ樹脂硬化剤は、上述したエポキシ樹脂の硬化反応を促進する触媒である。エポキシ樹脂硬化剤としては、例えば、イミダゾール系、フェノール系、アミン系、酸無水物系、有機過酸化物系等を用いることができる。特に、エポキシ樹脂硬化剤は、接着剤組成物の常温での保管性（ライフ）の観点から、潜在性をもった硬化剤であることが好ましく、カプセル化されて潜在性をもったイミダゾール系の硬化剤であることがより好ましい。常温での保管性が良好となることにより、接着剤組成物の供給や使用における管理をより簡便にすることができる。具体的に、エポキシ樹脂硬化剤としては、潜在性イミダゾール変性体を核としその表面をポリウレタンで被覆してなるマイクロカプセル型潜在性硬化剤を用いることができる。市販品としては、例えば、ノバキュア３９４１（旭化成イーマテリアルズ社製）を用いることができる。エポキシ樹脂硬化剤は、１種単独で用いてもよいし、２種以上を併用してもよい。
【００２６】
接着剤組成物中のエポキシ樹脂及びエポキシ樹脂硬化剤の含有量の合計は、成分Ａと成分Ｂと成分Ｃと成分Ｄの合計１００質量部に対して、１０質量部以下であり、５質量部以下が好ましい。エポキシ樹脂及びエポキシ樹脂硬化剤の含有量の合計が１０質量部を超えると、誘電特性が劣る傾向にある。
【００２７】
［他の成分］
接着剤組成物は、本技術の効果を損なわない範囲で、上述した成分Ａ〜成分Ｄ以外の他の成分をさらに含有してもよい。他の成分としては、有機溶剤、シランカップリング剤、流動性調整用のフィラーなどが挙げられる。有機溶剤は、特に制限されないが、例えば、アルコール系溶剤、ケトン系溶剤、エーテル系溶剤、芳香族系溶剤、エステル系溶剤などが挙げられる。これらの中でも、溶解性の観点から、芳香族系溶剤、エステル系溶剤が好ましい。有機溶剤は、１種単独で用いてもよく、２種以上を併用してもよい。
【００２８】
＜熱硬化性接着シート＞
本技術に係る熱硬化性接着シートは、基材上に、上述した接着剤組成物からなる熱硬化性接着層が形成されており、フィルム形状である。熱硬化性接着シートは、例えば、上述した接着剤組成物を溶剤で希釈し、乾燥後の厚さが１０〜６０μｍとなるように、バーコーター、ロールコーター等により、基材の少なくとも一方の面に塗布し、５０〜１３０℃程度の温度で乾燥させることにより得られる。基材は、例えば、ポリエチレンテレフタレートフィルム、ポリイミドフィルムなどの基材に、必要に応じてシリコーンなどで剥離処理がされた剥離基材を用いることができる。
【００２９】
熱硬化性接着シートを構成する熱硬化性接着層の厚みは、目的に応じて適宜設定することができるが、一例として、１〜１００μｍとすることができ、１〜３０μｍとすることもできる。
【００３０】
熱硬化性接着シートを構成する熱硬化性接着層は、上述のように熱硬化後も誘電率及び誘電正接が低く、熱硬化後も耐屈曲性が良好な接着剤組成物からなるため、例えば、フレキシブルプリント配線板の層間接着剤や、フレキシブルプリント配線板の端子部と、その裏打ちするための接続用基材とを接着固定する用途に適用できる。また、熱硬化性接着シートは、熱硬化後の剥離強度や耐熱性、常温での保管性も良好である。
【００３１】
＜プリント配線板＞
本技術に係るプリント配線板は、上述した接着剤組成物（熱硬化性接着層）の硬化物を介して、基材と配線パターンとを備える配線付基材の配線パターン側と、カバーレイとが積層されている。プリント配線板は、例えば、配線付基材の配線パターン側とカバーレイとの間に熱硬化性接着シートの熱硬化性接着層を配置し、熱圧着することで、配線付基材とカバーレイとを一体化することにより得られる。
【００３２】
配線付基材は、上述した接着剤組成物と同様に、高周波領域の電気特性が優れている、例えば、周波数１〜１０ＧＨｚの領域おいて、誘電率及び誘電正接が低いことが好ましい。基材の具体例としては、液晶ポリマー（ＬＣＰ：Liquid Crystal Polymer）、ポリテトラフルオロエチレン、ポリイミド及びポリエチレンナフタレ−トのいずれかを主成分とする基材が挙げられる。これらの基材の中でも、液晶ポリマーを主成分とする基材（液晶ポリマーフィルム）が好ましい。液晶ポリマーは、ポリイミドと比較して吸湿率が非常に低く、使用環境に左右されにくいためである。
【００３３】
本技術に係る接着剤組成物を用いたプリント配線板の構成例について説明する。図１に示すプリント配線板１は、液晶ポリマーフィルム２と銅箔（圧延銅箔）３とを備える配線付基材（銅張積層板：ＣＣＬ）の銅箔３側と、液晶ポリマーフィルム４とが、上述した接着剤組成物（熱硬化性接着層）からなる硬化物層５を介して積層されている。
【００３４】
また、プリント配線板は、例えば図２に示すような多層構造であってもよい。図２に示すプリント配線板６は、ポリイミド層７（厚み２５μｍ）と銅箔８（厚み１８μｍ）と銅めっき層９（厚み１０μｍ）を備える配線付基材の銅メッキ層９側と、カバーレイ１０（厚み２５μｍ）とが、上述した接着剤組成物（熱硬化性接着層）からなる硬化物層５（厚み３５μｍ）を介して積層されている（合計厚み２０１μｍ）。
【実施例】
【００３５】
以下、本技術の実施例について説明する。なお、本技術は、これらの実施例に限定されるものではない。
【００３６】
＜成分Ａ＞
タフテックＨ１２２１：水素添加スチレン系熱可塑性エラストマー（Ｍｗ１２００００、スチレン比率１０％）、旭化成社製
ハイブラー７１２５：水素添加スチレン系熱可塑性エラストマー（Ｍｗ１１００００、スチレン比率２０％）、クラレ社製
タフテックＨ１０４１：水素添加スチレン系熱可塑性エラストマー（Ｍｗ９００００、スチレン比率３０％）、旭化成社製
タフテックＨ１０４３：水素添加スチレン系熱可塑性エラストマー（Ｍｗ１１００００、スチレン比率６７％）、旭化成社製
【００３７】
＜成分Ｂ＞
ＯＰＥ−２Ｓｔ２２００：両末端にビニルベンジル基を有する変性ポリフェニレンエーテル樹脂（Ｍｎ＝２２００）、三菱ガス化学社製
ＳＡ９０００：両末端にメタクリロイル基を有する変性ポリフェニレンエーテル樹脂（Ｍｗ１７００）、ＳＡＢＩＣ社製
ＳＡ１２０：両末端に水酸基を有するポリフェニレンエーテル樹脂、ＳＡＢＩＣ社製
Ｓ２０１Ａ：両末端に水酸基を有するポリフェニレンエーテル樹脂、旭化成社製
【００３８】
＜成分Ｃ＞
４０３２Ｄ：ナフタレン型エポキシ樹脂、ＤＩＣ社製
ＪＥＲ８２８：エポキシ樹脂、三菱ケミカル社製
ＹＤ０１４：ビスフェノールＡ型エポキシ樹脂、新日鉄住金化学社製
【００３９】
＜成分Ｄ＞
ノバキュア３９４１：イミダゾール変性体を核としその表面をポリウレタンで被覆してなるマイクロカプセル型潜在性硬化剤、旭化成イーマテリアルズ社製
２Ｅ４ＭＺ：２−エチル−４−メチルイミダゾール（潜在性のないイミダゾール）
【００４０】
［熱硬化性接着剤組成物の調製］
表１に示す各成分を表１に示す質量となるように秤量し、トルエン及び酢酸エチルを含む有機溶剤中に均一に混合することにより、熱硬化性接着剤組成物（熱硬化性接着層形成用塗料）を調製した。
【００４１】
［熱硬化性シートの作製］
得られた熱硬化性接着剤組成物を、剥離処理が施されたポリエチレンテレフタレートフィルムに塗布し、５０〜１３０℃の乾燥炉中で乾燥することにより、ポリエチレンテレフタレートフィルムと、厚さ２５μｍの熱硬化性接着層とを有する熱硬化性接着シートを作製した。
【００４２】
［評価］
＜熱硬化性接着層形成用塗料の塗布性（フィルムの状態）の評価＞
上述の熱硬化性シートの作製の際、熱硬化性接着剤組成物の塗布性について、以下の基準に従って評価した。結果を表１に示す。
Ａ：接着剤組成物の相溶性が良好であり、フィルム状態で後述する評価を行うことが可能
Ｂ：接着剤組成物の相溶性が悪く、フィルム状態で後述する評価を行うことが不可能
【００４３】
＜誘電率＞
実施例及び比較例で作製した熱硬化性接着シート同士をラミネートし、厚さ１ｍｍの試験片を作製した後、この試験片を、１６０℃、１．０ＭＰａの条件で１時間熱硬化させ、評価用試験片を作製した。この評価用試験片について、誘電率測定装置（ＡＥＴ社製）を用い、測定温度２３℃、測定周波数１０ＧＨｚにおける誘電率を求めた。結果を表１に示す。
Ａ：誘電率が２．３未満
Ｂ：誘電率が２．３以上、２．４未満
Ｃ：誘電率が２．４以上、２．６未満
Ｄ：誘電率が２．６以上
【００４４】
＜誘電正接＞
上述した誘電率の測定と同様の方法で、評価用試験片について誘電正接を求めた。結果を表１に示す。
Ａ：誘電正接が０．００２未満
Ｂ：誘電正接が０．００２以上、０．００３５未満
Ｃ：誘電正接が０．００３５以上、０．００５未満
Ｄ：誘電正接が０．００５以上
【００４５】
＜剥離強度＞
得られた熱硬化性接着シートを所定の大きさの短冊（２ｃｍ×５ｃｍ）にカットし、そのカットした熱硬化性接着層を２ｃｍ×７ｃｍ×５０μｍ厚の液晶ポリマーフィルムに１００℃に設定したラミネータで仮貼りした後、基材（ポリエチレンテレフタレートフィルム）を取り除いて熱硬化性接着層を露出させた。露出した熱硬化性接着層に対し、同じ大きさの銅張積層板（厚み１２μｍの圧延銅箔と厚み５０μｍの液晶ポリマーフィルムとからなるＣＣＬ）の圧延銅箔面（粗面化処理を行っていない面）を上から重ね合わせ、１６０℃、１．０ＭＰａの条件で１時間熱硬化させた。これにより、サンプルを作製した。
【００４６】
得られたサンプルに対し、剥離速度５０ｍｍ／ｍｉｎで９０度剥離試験を行い、引き剥がす際に要した力（初期の剥離強度及び信頼性試験後の剥離強度）を測定した。結果を表１に示す。
【００４７】
［初期（上述した１６０℃、１．０ＭＰａの条件での熱硬化後にそのまま測定）］
Ａ：剥離強度が８Ｎ／ｃｍ以上
Ｂ：剥離強度が６Ｎ／ｃｍ以上、８Ｎ／ｃｍ未満
Ｃ：剥離強度が４Ｎ／ｃｍ以上、６Ｎ／ｃｍ未満
Ｄ：剥離強度が４Ｎ／ｃｍ未満
【００４８】
［信頼性試験後（８５℃、相対湿度８５％、２４０時間（すなわち、上述した１６０℃、１．０ＭＰａの条件での熱硬化後に、８５℃、相対湿度８５％の環境に２４０時間投入し、取り出して３時間後に測定））］
Ａ：剥離強度が７Ｎ／ｃｍ以上
Ｂ：剥離強度が５Ｎ／ｃｍ以上、７Ｎ／ｃｍ未満
Ｃ：剥離強度が３Ｎ／ｃｍ以上、５Ｎ／ｃｍ未満
Ｄ：剥離強度が３Ｎ／ｃｍ未満
【００４９】
＜耐熱性＞
上述のサンプルをトップ温度２６０℃−３０秒となるリフロー工程を３回通過させ、通過後のサンプルの外観を確認し、剥離や膨れが発生していないかどうかを下記基準に従って評価した。結果を表１に示す。
Ａ：３回通過した後も異常なし
Ｂ：２回通過で異常なし、３回目で剥離や膨れ等の異常が発生
Ｃ：１回通過で異常なし、２回目で剥離や膨れ等の異常が発生
Ｄ：１回目で剥離や膨れ等の異常が発生
【００５０】
＜耐屈曲性＞
得られた熱硬化性接着シートを所定の大きさの短冊（１．５ｃｍ×１２ｃｍ）にカットし、そのカットした熱硬化性接着層を１．５ｃｍ×１２ｃｍ×５０μｍ厚の液晶ポリマーフィルムに１００℃に設定したラミネータで仮貼りした後、基材（ポリエチレンテレフタレートフィルム）を取り除いて熱硬化性接着層を露出させた。露出した熱硬化性接着層に対し、ＭＩＴ耐屈試験用のＦＰＣ−ＴＥＧに重ね合わせ、１６０℃、１．０ＭＰａの条件で１時間熱硬化させた。ＭＩＴ耐屈試験用のＴＥＧ１１の構成を図３に示す。ＴＥＧ１１は、基材としての液晶ポリマーフィルム（厚み５０μｍ）と、圧延銅箔（厚み１２μｍ）とからなるＣＣＬから銅配線を形成したものである。ＭＩＴ耐屈試験は、作製した試験片１２を、図４に示す構造のＭＩＴ耐折疲労試験機１３にセットして行った。折り曲げ角度１３５°、折り曲げクランプ角度Ｒ＝０．３８、試験速度１７５ｃｐｍの条件で行った。銅配線が破断するまでの折り曲げ回数を確認した。結果を表１に示す。
Ａ：破断までの折り曲げ回数が１２００回以上
Ｂ：破断までの折り曲げ回数が５００回以上、１２００回未満
Ｃ：破断までの折り曲げ回数が２００回以上、５００回未満
Ｄ：破断までの折り曲げ回数が２００回未満
【００５１】
＜ライフ評価＞
熱硬化性シートを常温で４か月保管した後、上述した剥離強度の評価と同様の評価を行った。熱硬化性接着シートを作製した直後に評価を行った剥離強度と比べた場合の低下率を確認した。結果を表１に示す。
Ａ：剥離強度の低下が１０％未満
Ｂ：剥離強度の低下が１０％以上、３０％未満
Ｃ：剥離強度の低下が３０％以上
【００５２】
【表１】
2019135280.tif 000003
【００５３】
表１に示す結果から、接着剤組成物の合計１００質量部に対して、スチレン系エラストマー（成分Ａ）を７５〜９０質量部と、末端に重合性基を有する変性ポリフェニレンエーテル樹脂（成分Ｂ）を３〜２５質量部と、エポキシ樹脂（成分Ｃ）及びエポキシ樹脂硬化剤（成分Ｄ）を合計で１０質量部以下とを含有する接着剤組成物は、熱硬化後も誘電率及び誘電正接が低く、耐屈曲性が良好であることが分かった。
【００５４】
実験例６の結果から、変性ポリフェニレンエーテル樹脂の含有量を２５質量部超とすると、耐屈曲性が劣ることが分かった。
【００５５】
実験例８の結果から、エポキシ樹脂及びエポキシ樹脂硬化剤の合計量を１０質量部超とすると、誘電正接を低くするのが困難であることが分かった。
【００５６】
実験例１１、１２の結果から、末端に水酸基を有するポリフェニレンエーテル樹脂を用いると、フィルム状態が悪いか、誘電特性及び耐屈曲性が劣ることが分かった。なお、実験例１２では、フィルムの状態が悪かったため、誘電率、誘電正接、剥離強度、耐熱性、耐屈曲性の評価を行うことができなかった。
【００５７】
実験例の結果から、変性ポリフェニレンエーテル樹脂の含有量を５〜２０質量部とすることにより、誘電率及び誘電正接が低く、耐屈曲性が良好であり、さらに耐熱性も良好であることが分かった。
【００５８】
実験例の結果から、スチレン系エラストマーの質量平均分子量を１０００００以上とすることにより、剥離強度、耐熱性及び耐屈曲性をより良好にできることが分かった。
【００５９】
実験例の結果から、スチレン系エラストマーのスチレン比率を３０％未満とすることにより、誘電特性、剥離強度、耐熱性及び耐屈曲性をより良好にできることが分かった。
【００６０】
実験例の結果から、液状のエポキシ樹脂を用いることにより、剥離強度、耐熱性及び耐屈曲性をより良好にできることが分かった。
【００６１】
実験例の結果から、潜在性のあるエポキシ樹脂硬化剤を用いることにより、常温での保管性も良好にできることが分かった。
【００６２】
実験例３、７、１４の結果から、１０ＧＨｚにおいて誘電率（Ｄｋ）が２．３以下、誘電正接（Ｄｆ）が０．００２未満と非常に低い値を示すにもかかわらず、液晶ポリマーフィルムと粗面化処理を施していない圧延銅箔に対して８Ｎ／ｃｍ以上の非常に高い接着強度を示すことが分かった。
【符号の説明】
【００６３】
１  プリント配線板、２  液晶ポリマーフィルム、３  銅箔、４  液晶ポリマーフィルム、５  接着剤組成物からなる硬化物層、６  プリント配線板、７  ポリイミド層、８  銅箔、９  銅メッキ層、１０  カバーレイ、１１  ＴＥＧ、１２  試験片、１３  ＭＩＴ耐折疲労試験機、１４  プランジャー、１５  上部チャック、１６  回転チャック、１７  折曲コマ
【図１】
2019135280.tif 000004
【図２】
2019135280.tif 000005
【図３】
2019135280.tif 000006
【図４】
2019135280.tif 000007